(57)【要約】【課題】放送波の受信状況を考慮したドライブプランを容易にユーザに計画させること。【解決手段】放送波情報表示装置１００は、記憶部１０１と、取得部１０２と、検索部１０３と、判断部１０４と、表示部１０５とによって構成されている。記憶部１０１は、放送施設情報を記憶する。取得部１０２は、地図情報を取得する。検索部１０３は、記憶部１０１に記憶されている放送施設情報の中から、移動体の現在地を含む所定範囲内に存在する放送施設に関する放送施設情報を検索する。表示部１０５は、取得部１０２によって取得された地図情報と検索部１０３によって検索された放送施設情報とを関連付けて表示する。【選択図】図１
2008160445.tif 000002
【特許請求の範囲】
【請求項１】
移動体の現在地を含む所定範囲の地図情報を取得する取得手段と、
放送波を発する放送施設に関する情報を記憶するデータベースの中から、前記所定範囲内に存在する前記放送施設に関する情報を検索する検索手段と、
前記取得手段によって取得された地図情報と前記検索手段によって検索された前記放送施設に関する情報とを関連付けて表示する表示手段と、
を備えたことを特徴とする放送波情報表示装置。
【請求項２】
前記表示手段は、
前記放送施設に関する情報として、前記検索手段によって検索された放送施設から発せられた放送波の受信可能エリアを表示することを特徴とする請求項１に記載の放送波情報表示装置。
【請求項３】
前記表示手段は、
前記放送施設に関する情報として、前記検索手段によって検索された放送施設から発せられた放送波の受信レベルを表示することを特徴とする請求項１または２に記載の放送波情報表示装置。
【請求項４】
前記表示手段は、
前記移動体の現在地からの、前記検索手段によって検索された放送施設の方向または前記検索手段によって検索された放送施設から発せられた放送波の受信可能方向を表示することを特徴とする請求項１〜３のいずれか一つに記載の放送波情報表示装置。
【請求項５】
前記表示手段は、
前記検索手段によって検索された放送施設の方向または前記検索手段によって検索された放送施設から発せられた放送波の受信可能方向ごとに、前記検索手段によって検索された放送施設から発せられた放送波の受信レベルを表示することを特徴とする請求項４に記載の放送波情報表示装置。
【請求項６】
目的地までの移動体の経路に関する経路情報を取得する経路情報取得手段と、
前記経路情報取得手段によって取得された前記経路情報に基づいて、前記検索手段によって検索された放送施設ごとに、前記移動体の経路上において受信可能な放送波を発するか否かを判断する判断手段と、をさらに備え、
前記表示手段は、
前記検索手段によって検索された前記放送施設に関する情報のうち、前記移動体の経路上において受信可能な放送波を発すると前記判断手段によって判断された放送施設に関する情報を表示することを特徴とする請求項１に記載の放送波情報表示装置。
【請求項７】
移動体の現在地を含む所定範囲の地図情報を取得する取得工程と、
放送波を発する放送施設に関する情報を記憶するデータベースの中から、前記所定範囲内に存在する前記放送施設に関する情報を検索する検索工程と、
前記取得工程によって取得された地図情報と前記検索工程によって検索された前記放送施設に関する情報とを関連付けて表示する表示工程と、
を含んだことを特徴とする放送波情報表示方法。
【請求項８】
請求項７に記載の放送波情報表示方法をコンピュータに実行させることを特徴とする放送波情報表示プログラム。
【請求項９】
請求項８に記載の放送波情報表示プログラムを記録したことを特徴とするコンピュータに読み取り可能な記録媒体。
【発明の詳細な説明】
【技術分野】
【０００１】
この発明は、放送波の受信状況に関する情報を表示する放送波情報表示装置、放送波情報表示方法、放送波情報表示プログラム、および記録媒体に関する。ただし、この発明の利用は、上述した放送波情報表示装置、放送波情報表示方法、放送波情報表示プログラム、および記録媒体には限られない。
【背景技術】
【０００２】
近年、車両などの移動体に搭載されているナビゲーション装置の中には、出発地や目的地に加え、距離優先／時間優先／費用優先など、ユーザによって設定された様々な経路探索条件を考慮した経路を探索することができるだけでなく、ＴＶチューナーなどの受信機を備えたことにより、ＴＶ番組などの放送番組を視聴することができるものがある（たとえば、下記特許文献１参照。）。このようなナビゲーション装置によれば、ユーザは、所望する放送番組を視聴しながら、各種経路探索条件を満たす最適な経路の誘導を受けることができるものとされている。
【０００３】
【特許文献１】特開２００３−１８５４５６号公報
【発明の開示】
【発明が解決しようとする課題】
【０００４】
しかしながら、上記特許文献１に記載の従来技術にあっては、地図上および目的地までの移動体の経路上における放送波の受信状況をユーザに提示することができない。このため、ユーザは、視聴中の放送番組の放送波の受信状況が良好な方向に向かって移動したり、移動経路上において放送波の受信状況が良好な放送番組を好んで視聴するなどといった、放送波の受信状況を考慮したドライブプランや視聴プランの計画を容易におこなうことができず、「移動中に放送が途切れてしまうかもしれない」といった不安を抱えたまま放送番組を視聴していた。
【課題を解決するための手段】
【０００５】
上述した課題を解決し、目的を達成するため、請求項１の発明にかかる放送波情報表示装置は、移動体の現在地を含む所定範囲の地図情報を取得する取得手段と、放送波を発する放送施設に関する情報を記憶するデータベースの中から、前記所定範囲内に存在する前記放送施設に関する情報を検索する検索手段と、前記取得手段によって取得された地図情報と前記検索手段によって検索された前記放送施設に関する情報とを関連付けて表示する表示手段と、を備えたことを特徴とする。
【０００６】
また、請求項７の発明にかかる放送波情報表示方法は、移動体の現在地を含む所定範囲の地図情報を取得する取得工程と、放送波を発する放送施設に関する情報を記憶するデータベースの中から、前記所定範囲内に存在する前記放送施設に関する情報を検索する検索工程と、前記取得工程によって取得された地図情報と前記検索工程によって検索された前記放送施設に関する情報とを関連付けて表示する表示工程と、を含んだことを特徴とする。
【０００７】
また、請求項８の発明にかかる放送波情報表示プログラムは、請求項７に記載の放送波情報表示方法をコンピュータに実行させることを特徴とする。
【０００８】
また、請求項９の発明にかかる記録媒体は、請求項８に記載の放送波情報表示プログラムをコンピュータに読み取り可能に記録したことを特徴とする。
【発明を実施するための最良の形態】
【０００９】
以下に添付図面を参照して、この発明にかかる放送波情報表示装置、放送波情報表示方法、放送波情報表示プログラム、および記録媒体の好適な実施の形態を詳細に説明する。
【００１０】
（実施の形態）
（放送波情報表示装置の機能的構成）
まず、本実施の形態にかかる放送波情報表示装置の機能的構成について説明する。図１は、本実施の形態にかかる放送波情報表示装置の機能的構成を示すブロック図である。図１において、放送波情報表示装置１００は、記憶部１０１と、取得部１０２と、検索部１０３と、判断部１０４と、表示部１０５とによって構成されている。
【００１１】
記憶部１０１は、放送波を発する放送施設に関する情報（以下、「放送施設情報」という）を記憶するデータベースである。放送施設情報には、たとえば、放送波を発する放送局や中継局の放送施設ごとに、放送施設の位置情報や、放送施設から発せられる放送波の放送局、放送施設から発せられる放送波の受信レベルなどが設定されている。また、上記受信レベルは、たとえば、放送施設の位置からの距離ごとに設定されている。なお、放送施設情報は、本実施の形態のように放送波情報表示装置１００（記憶部１０１）に記憶されているものの利用に限らず、たとえば、放送波情報表示装置１００と接続された別の装置に記憶されているものを利用するようにしてもよい。
【００１２】
取得部１０２は、移動体の現在地を含む所定範囲の地図情報を取得する。また、取得部１０２は、目的地までの移動体の経路に関する経路情報を取得する。経路情報には、たとえば、出発地、経由地、目的地、各経由地および目的地への到達予定時刻などの情報が含まれている。たとえば取得部１０２は、放送波情報表示装置１００に内蔵されたメモリなどの記録媒体から経路情報や地図情報を取得する。なお、取得部１０２は、放送波情報表示装置１００と接続された別の装置から経路情報や地図情報を取得するようにしてもよい。
【００１３】
検索部１０３は、記憶部１０１に記憶されている放送施設情報の中から、移動体の現在地を含む所定範囲内に存在する放送施設に関する放送施設情報を検索する。
【００１４】
判断部１０４は、検索部１０３によって検索された放送施設情報ごとに、取得部１０２によって取得された経路情報に基づいて、移動体の経路上において受信可能な放送波を発する放送施設に関する放送施設情報か否かを判断する。たとえば、判断部１０４は、移動体の経路上における放送波の受信レベルが所定値以上の場合、この放送波を発する放送施設を、「移動体の経路上において受信可能な放送波を発する放送施設である」と判断する。
【００１５】
表示部１０５は、取得部１０２によって取得された地図情報と検索部１０３によって検索された放送施設情報とを関連付けて表示する。このとき、表示部１０５は、検索部１０３によって検索された放送施設情報のうち、移動体の経路上において受信可能な放送波を発すると判断部１０４によって判断された放送施設に関する放送施設情報を表示する。
【００１６】
たとえば表示部１０５は、放送施設情報として、検索部１０３によって検索された放送施設から発せられた放送波の受信可能エリアを表示する。たとえば、表示部１０５は、上記受信可能エリアを示す、放送施設を中心とした円などの図形を表示する。また、たとえば表示部１０５は、移動体の現在地からの、検索部１０３によって検索された放送施設の方向または検索部１０３によって検索された放送施設から発せられた放送波の受信可能方向を表示する。たとえば、表示部１０５は、上記放送施設の方向または上記受信可能方向を示す、矢印などの図形を表示する。
【００１７】
また、たとえば表示部１０５は、放送施設情報として、放送施設から発せられた放送波の、放送局ごと、受信可能エリアごと、移動体からの放送施設の方向、または移動体からの受信可能方向ごとに、受信レベルを表示する。たとえば、表示部１０５は、「強／弱」や数値などの文字列や、グラフなどの図形によって上記受信レベルを示す。また、たとえば、表示部１０５は、上記受信可能エリア、上記放送施設の方向、または上記受信可能方向が図形によって示されている場合、この図形の色や大きさを変化させることによって、上記受信可能エリア、上記放送施設の方向、または上記受信可能方向ごとの受信レベルを示す。
【００１８】
（放送波情報表示装置１００による放送波情報表示処理の手順）
つぎに、本実施の形態にかかる放送波情報表示装置１００による放送波情報表示処理の手順について説明する。図２は、本実施の形態にかかる放送波情報表示装置１００による放送波情報表示処理の手順を示すフローチャートである。
【００１９】
まず、取得部１０２によって、移動体の現在地を含む所定範囲の地図情報を取得する。（ステップＳ２０１）。つぎに、検索部１０３によって、記憶部１０１に記憶されている放送施設情報の中から、移動体の現在地を含む所定範囲内に存在する放送施設に関する放送施設情報を検索する（ステップＳ２０２）。そして、表示部１０５によって、ステップＳ２０１で取得された地図情報とステップＳ２０２で検索された放送施設情報とを関連付けて表示して（ステップＳ２０３）、一連の処理を終了する。
【００２０】
以上説明したように、本実施の形態にかかる放送波情報表示装置１００は、地図情報を取得し、移動体周辺の放送施設に関する放送施設情報を検索し、取得された地図情報と検索された放送施設情報とを関連付けて表示することができる構成とした。これにより、放送波の受信状況を考慮したドライブプランや視聴プランを容易にユーザに計画させることができる。この結果、ユーザによる利用満足度の向上を図ることができる。
【実施例】
【００２１】
以下に添付図面を参照して、この発明にかかる放送波情報表示装置、放送波情報表示方法、放送波情報表示プログラム、および記録媒体の好適な実施例を詳細に説明する。本実施例では、たとえば車両（四輪車、二輪車を含む）などの移動体に搭載されるナビゲーション装置３００によって、この発明にかかる放送波情報表示装置、放送波情報表示方法、放送波情報表示プログラム、および記録媒体を実施した場合の一例について説明する。
【００２２】
（ナビゲーション装置３００のハードウエア構成）
まず、ナビゲーション装置３００のハードウエア構成について説明する。図３は、ナビゲーション装置３００のハードウエア構成を示すブロック図である。
【００２３】
図３において、ナビゲーション装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、マイク３０９と、スピーカ３１０と、入力デバイス３１１と、映像Ｉ／Ｆ３１２と、ディスプレイ３１３と、通信Ｉ／Ｆ３１４と、ＧＰＳユニット３１５と、各種センサ３１６と、カメラ３１７とを備えており、上記各構成部は、バス３２０などによってそれぞれ接続されている。
【００２４】
ＣＰＵ３０１は、ナビゲーション装置３００の全体の制御を司る。ＲＯＭ３０２は、ブートプログラム、経路探索プログラムなどのプログラムを記録している。また、ＲＡＭ３０３は、ＣＰＵ３０１のワークエリアとして使用される。すなわち、ＣＰＵ３０１は、ＲＡＭ３０３をワークエリアとして使用しながら、ＲＯＭ３０２に記録された各種プログラムを実行することによって、ナビゲーション装置３００の全体の制御を司る。
【００２５】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。
【００２６】
また、光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータが読み出される着脱自在な記録媒体である。光ディスク３０７は、書き込み可能な記録媒体を利用することもできる。着脱可能な記録媒体として、光ディスク３０７のほか、ＭＯ、メモリカードなどであってもよい。
【００２７】
磁気ディスク３０５および光ディスク３０７に記録される情報の一例としては、地図データや機能データが挙げられる。地図データは、建物、河川、地表面などの地物（フィーチャ）をあらわす背景データと、道路の形状をあらわす道路形状データとを含んでおり、地区ごとに分けられた複数のデータファイルによって構成されている。
【００２８】
道路形状データは、さらに交通条件データを有する。交通条件データには、たとえば、各ノードについて、信号や横断歩道などの有無、高速道路の出入り口やジャンクションの有無、各リンクについての長さ（距離）、道幅、進行方向、道路種別（高速道路、有料道路、一般道路など）などの情報が含まれている。
【００２９】
機能データは、地図上の施設の形状をあらわす３次元データ、当該施設の説明をあらわす文字データ、その他地図データ以外の各種のデータである。地図データや機能データは、地区ごとあるいは機能ごとにブロック分けされた状態で記録されている。具体的には、たとえば、地図データは、各々が、表示画面に表示された地図において所定の地区をあらわすように、地区ごとにブロック分けすることができる状態で記録されている。また、たとえば、機能データは、各々が、一つの機能を実現するように、機能ごとに複数にブロック分けすることができる状態で記録されている。
【００３０】
また、機能データは、上述した３次元データや文字データに加えて、経路探索、所要時間の算出、経路誘導などを実現するプログラムデータなどの機能を実現するためのデータである。地図データおよび機能データは、それぞれ、地区ごとあるいは機能ごとに分けられた複数のデータファイルによって構成されている。
【００３１】
音声Ｉ／Ｆ３０８は、音声入力用のマイク３０９および音声出力用のスピーカ３１０に接続される。マイク３０９に受音された音声は、音声Ｉ／Ｆ３０８内でＡ／Ｄ変換される。マイク３０９は、たとえば、車両のサンバイザー付近に設置され、その数は単数でも複数でもよい。なお、マイク３０９から入力された音声は、音声データとして磁気ディスク３０５あるいは光ディスク３０７に記録可能である。
【００３２】
スピーカ３１０は、音声Ｉ／Ｆ３０８によって音声信号からＤ／Ａ変換された音声を出力する。スピーカ３１０は固定式のものに限らず、たとえばヘッドフォンなどであってもよい。
【００３３】
入力デバイス３１１は、文字、数値、各種指示などの入力のための複数のキーを備えたリモコン、キーボード、タッチパネルなどが挙げられる。入力デバイス３１１は、リモコン、キーボード、タッチパネルのうちいずれか一つの形態によって実現されてもよいが、複数の形態によって実現することも可能である。
【００３４】
映像Ｉ／Ｆ３１２は、ディスプレイ３１３およびカメラ３１７に接続される。映像Ｉ／Ｆ３１２は、具体的には、たとえば、ディスプレイ３１３全体を制御するグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいてディスプレイ３１３を制御する制御ＩＣなどによって構成される。
【００３５】
ディスプレイ３１３には、アイコン、カーソル、メニュー、ウインドウ、あるいは文字や画像などの各種データが表示される。このディスプレイ３１３としては、たとえば、ＣＲＴ、ＴＦＴ液晶ディスプレイ、プラズマディスプレイなどを採用することができる。たとえば、ディスプレイ３１３は、車両内部の運転席前方に設けられている。また、ディスプレイ３１３は、たとえば車両内部の運転席前方に設けられているメインディスプレイなど１台のディスプレイ３１３によって構成されていてもよく、車両内部の運転席前方に設けられているメインディスプレイと車両内部の後部座席前方に設けられているサブディスプレイとの組み合わせなど複数台のディスプレイ３１３によって構成されていてもよい。
【００３６】
通信Ｉ／Ｆ３１４は、無線を介してネットワークに接続され、ナビゲーション装置３００とＣＰＵ３０１とのインターフェースとして機能する。通信Ｉ／Ｆ３１４は、さらに、無線を介してインターネットなどの通信網に接続され、この通信網とＣＰＵ３０１とのインターフェースとしても機能する。
【００３７】
通信網には、ＬＡＮ、ＷＡＮ、公衆回線網や携帯電話網などがある。具体的には、通信Ｉ／Ｆ３１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路交通情報を取得する。なお、ＶＩＣＳは登録商標である。
【００３８】
また、通信Ｉ／Ｆ３１４は、ＴＶチューナーを備え、このＴＶチューナーによって放送局からの放送番組を受信する。ＴＶチューナーによって受信された放送番組のうち、音声データは、たとえば、音声Ｉ／Ｆ３０８の制御によってスピーカ３１０から出力される。また、映像データは、たとえば、映像Ｉ／Ｆ３１２の制御によってディスプレイ３１３から出力される。
【００３９】
ＧＰＳユニット３１５は、ＧＰＳ衛星からの電波を受信し、車両の現在位置を示す情報を出力する。ＧＰＳユニット３１５の出力情報は、後述する各種センサ３１６の出力値とともに、ＣＰＵ３０１による車両の現在位置の算出に際して利用される。現在位置を示す情報は、たとえば緯度・経度、高度などの、地図データ上の１点を特定する情報である。
【００４０】
各種センサ３１６は、車速センサ、加速度センサ、角速度センサなどの、車両の位置や状態を判断するための情報を出力する。これら各種センサ３１６によって出力された情報は、ＣＰＵ３０１による車両の現在位置の算出や、速度や方位の変化量の算出などに用いられる。一方、車両外部に複数設けられた電波線センサ、赤外線センサ、超音波センサなどの各種センサ３１６は、たとえば、車両の周辺に存在する物体を検出し、この物体をカメラ３１７によって撮影するための情報を出力する。
【００４１】
カメラ３１７は、車両外部の画像を撮影する。カメラ３１７によって撮影される画像は、静止画に限らず動画であってもよい。また、カメラ３１７によって撮影された画像は、たとえば、映像Ｉ／Ｆ３１２の制御によってディスプレイ３１３に表示される。
【００４２】
なお、図１に示した実施の形態にかかる放送波情報表示装置１００の機能的構成は、具体的には、たとえば記憶部１０１は、ＲＯＭ３０２、ＲＡＭ３０３、磁気ディスク３０５、および光ディスク３０７が、取得部１０２、検索部１０３、判断部１０４は、ＣＰＵ３０１が、表示部１０５は、ディスプレイ３１３が、それぞれその機能を実現する。
【００４３】
（ナビゲーション装置３００による放送波情報表示処理の手順）
つぎに、ナビゲーション装置３００による放送波情報表示処理の手順について説明する。図４は、ナビゲーション装置３００による放送波情報表示処理の手順を示すフローチャートである。
【００４４】
まず、移動体の現在地を含む所定範囲の地図情報および目的地までの移動体の経路に関する経路情報を取得する（ステップＳ４０１）。ここで、まだ目的地までの経路探索処理がおこなわれてなく、経路情報がない場合は、経路探索処理をおこなって、経路情報を生成するようにしてもよい。つぎに、ステップＳ４０１で取得された地図情報および経路情報を表示する（ステップＳ４０２）。
【００４５】
つぎに、データベースに記憶されている放送施設情報の中から、移動体の現在地を含む所定範囲内に存在する放送施設に関する放送施設情報を検索する（ステップＳ４０３）。そして、移動体の現在地を含む所定範囲内の放送施設に関する放送施設情報が存在するか否かを判断する（ステップＳ４０４）。
【００４６】
ステップＳ４０４において、放送施設情報が存在しないと判断した場合（ステップＳ４０４：Ｎｏ）は、一連の処理を終了する。一方、ステップＳ４０４において、放送施設情報が存在すると判断した場合（ステップＳ４０４：Ｙｅｓ）は、まず、ステップＳ４０３で検索された放送施設情報の中から放送施設を選択する（ステップＳ４０５）。
【００４７】
続いて、ステップＳ４０５で選択された放送施設に関して、移動体の経路上において受信可能な放送波を発する放送施設か否かを判断する（ステップＳ４０６）。ステップＳ４０６において、移動体の経路上において受信可能な放送波を発する放送施設でないと判断した場合（ステップＳ４０６：Ｎｏ）は、ステップＳ４１０へ進む。
【００４８】
一方、ステップＳ４０６において、移動体の経路上において受信可能な放送波を発する放送施設であると判断した場合（ステップＳ４０６：Ｙｅｓ）は、ステップＳ４０５で選択された放送施設を表示し（ステップＳ４０７）、また、ステップＳ４０５で選択された放送施設から発せられた放送波の受信可能エリアを表示し（ステップＳ４０８）、さらに、移動体からのステップＳ４０５で選択された放送施設の方向を表示して（ステップＳ４０９）、ステップＳ４１０へ進む。
【００４９】
そして、ステップＳ４０３で検索された放送施設情報の中から放送施設が全て選択されたか否かを判断する（ステップＳ４１０）。ステップＳ４１０において、放送施設が全て選択されたと判断した場合（ステップＳ４１０：Ｙｅｓ）は、一連の処理を終了する。一方、ステップＳ４１０において、放送施設が全て選択されていないと判断した場合（ステップＳ４１０：Ｎｏ）は、ステップＳ４１０で放送施設が全て選択されたと判断されるまで、ステップＳ４０５〜ステップＳ４１０を繰り返しおこなう。
【００５０】
（ディスプレイ３１３の画面上に表示された放送施設情報の一例）
つぎに、ディスプレイ３１３の画面上に表示された放送施設情報の一例について説明する。図５および図６は、ディスプレイ３１３の画面上に表示された放送施設情報の一例を示す説明図である。
【００５１】
図５において、ディスプレイ３１３の画面上には、地図情報、移動体を示すアイコン５１０、移動体の目的地を示すアイコン５２０、および移動体の経路Ａに加えて、放送施設を示すアイコン５０１，５０２，５０３，５０４と、放送施設の方向を示す矢印５０５および矢印５０６が放送施設情報として表示されている。
【００５２】
また、図５においては、放送施設を示す各アイコン５０１〜５０４に対し、放送施設を中心とした複数の同心円によって当該放送施設から発せられた放送波の受信可能エリアが示されている。ここで、図５においては、放送波の受信可能エリアが、放送波の受信レベルに応じて３段階で示されている。
【００５３】
たとえば、放送波の受信レベルが高い受信可能エリアは太線で示されている。また、放送波の受信レベルが普通の受信可能エリアは実線で示されている。そして、放送波の受信レベルが低い受信可能エリアは点線で示されている。なお、線の種別によって受信レベルを示しているが、これに限らず、たとえば受信可能エリアを受信レベルに応じた色に着色するようにしてもよい。
【００５４】
なお、アイコン５０３およびアイコン５０４によって示された放送施設は、移動体の経路Ａ上において受信可能な放送波を発する放送施設ではないことから、図４に示した手順による放送波情報表示処理がおこなわれた場合は、このアイコン５０３およびアイコン５０４は表示されない。
【００５５】
一方、図６において、地図情報をドライバーズビューで表示した例であり、ディスプレイ３１３の画面上には、地図情報に加えて、方向（Ｎ／Ｅ／Ｓ／Ｗ）と、方向ごとの放送波の受信レベルを示すアイコン６０１が放送施設情報として示されている。
【００５６】
このアイコン６０１においては、放送波の受信レベルが、受信レベルに応じた色によって示されている。たとえば、図６に示すアイコン６０１においては、方向「Ｎ」が着色されている。これにより、たとえばユーザは、視聴中の放送番組を視聴しながら移動するためには、方向「Ｎ」へ移動すればよいと判断することができる。また、方向「Ｎ」の受信レベルを判断することができる。
【００５７】
また、たとえば、図示していないが、アイコン６０１において、受信レベルが低いことを意味する赤色に方向「Ｗ」が着色されており、かつ受信レベルが高いことを意味する青色に方向「Ｅ」が着色されている場合は、ユーザは、この色から、方向「Ｅ」に移動したほうが、良好な受信状況で視聴中の放送番組を視聴することができると判断することができる。
【００５８】
また、図５および図６に示した放送施設情報は、一例として、視聴中の一放送番組に関する放送施設情報を示したものであり、たとえば、視聴予定の放送番組に関する放送施設情報を表示したり、複数の放送番組に関する放送施設情報を同時に表示したり、放送番組を変更するたび、変更された放送番組に関する放送施設情報を表示するようにしてもよい。
【００５９】
以上説明したように、本実施例にかかるナビゲーション装置３００は、移動体の現在地を含む所定範囲の地図情報を取得し、放送波を発する放送施設に関する放送施設情報を記憶するデータベースの中から、所定範囲内に存在する放送施設に関する放送施設情報を検索し、取得された地図情報と検索された放送施設情報（放送施設、放送施設の方向、受信可能エリア、受信レベル）とを関連付けて表示する構成とした。これにより、放送番組の放送波の地域ごとの受信状況を容易にユーザに把握させることができ、放送番組の放送波の受信状況を考慮したドライブプランや視聴プランを容易にユーザに計画させることができる。この結果、ユーザによる利用満足度の向上を図ることができる。
【００６０】
また、本実施例にかかるナビゲーション装置３００は、目的地までの移動体の経路に関する経路情報を取得し、取得された経路情報に基づいて、検索された放送施設ごとに、移動体の経路上において受信可能な放送波を発するか否かを判断し、検索された放送施設に関する情報のうち、移動体の経路上において受信可能な放送波を発すると判断された放送施設に関する情報を表示する構成とした。これにより、移動体の経路に関係のない、ユーザにとって不要な放送施設に関する放送施設情報の表示を排除することができる。このため、ユーザは、不要な情報に惑わされることなく、放送番組の放送波の受信状況を考慮したドライブプランや視聴プランを計画したりすることができる。この結果、ユーザによる利用満足度の向上を図ることができる。
【００６１】
なお、本実施の形態で説明した放送波情報表示方法は、あらかじめ用意されたプログラムをコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００６２】
【図１】本実施の形態にかかる放送波情報表示装置の機能的構成を示すブロック図である。
【図２】本実施の形態にかかる放送波情報表示装置による放送波情報表示処理の手順を示すフローチャートである。
【図３】ナビゲーション装置のハードウエア構成を示すブロック図である。
【図４】ナビゲーション装置による放送波情報表示処理の手順を示すフローチャートである。
【図５】ディスプレイの画面上に表示された放送施設情報の一例を示す説明図である。
【図６】ディスプレイの画面上に表示された放送施設情報の一例を示す説明図である。
【符号の説明】
【００６３】
１００  放送波情報表示装置
１０１  記憶部
１０２  取得部
１０３  検索部
１０４  判断部
１０５  表示部
【図１】
2008160445.tif 000003
【図２】
2008160445.tif 000004
【図３】
2008160445.tif 000005
【図４】
2008160445.tif 000006
【図５】
2008160445.tif 000007
【図６】
2008160445.tif 000008